(57)【要約】【解決手段】  チューブポンプ１の導管２は、ループ状の大径チューブ８と、大径チューブ８の一端に供給側コネクタ１７によって接続される供給チューブ１８と、大径チューブ８の他端に排出側コネクタ１７’によって接続される排出チューブ１９とを備えている。ホルダ７は、両コネクタ１７、１７’の外面と係合可能な一対の段付係合凹部７Ｄ、７Ｄ’を備えている。  上記両コネクタ１７、１７’をホルダ７の段付係合凹部７Ｄ、７Ｄ’によって保持し、その状態のホルダ７をハウジング６の切欠き部６Ｂに取り付ける。  【効果】  ハウジング６への導管２の着脱が容易なチューブポンプ１を提供できる。【選択図】  図４
2010190062.tif 000002
【特許請求の範囲】
【請求項１】
内部に円筒状側壁を有するハウジングと、上記ハウジングの円筒状側壁の内方側に配置されたローラを有するとともに駆動源によって回転されるロータと、上記円筒状側壁と上記ローラとの間に屈曲部が装着されるとともに液体を流通させる導管とを備えて、上記ロータを回転させることで上記ローラによって上記屈曲部を扱いて液体を導管により送液するようにしたチューブポンプにおいて、
上記導管における液体の供給側と排出側の箇所のそれぞれに第１係合部を設けるとともに、該導管の両方の第１係合部と係合可能な第２係合部を有するホルダを設けて、該ホルダの第２係合部を上記導管の両第１係合部に係合させて導管をホルダによって保持し、その状態において該ホルダを上記ハウジングに着脱可能としたことを特徴とするチューブポンプ。
【請求項２】
上記導管は、上記屈曲部の一端に供給側コネクタを介して接続される供給チューブと、上記屈曲部の他端に排出側コネクタを介して接続される排出チューブとを備え、
上記供給側コネクタおよび排出側コネクタの外周部の所定位置には、上記第１係合部としてのフランジ部が形成されており、
また、上記ホルダには、上記両コネクタのフランジ部と係合可能な第２係合部としての凹部が形成されていることを特徴とする請求項１に記載のチューブポンプ。
【請求項３】
上記導管は、上記屈曲部の一端に供給側コネクタを介して接続される供給チューブと、上記屈曲部の他端に排出側コネクタを介して接続される排出チューブとを備え、
上記供給側コネクタおよび排出側コネクタの外周部の所定位置には、上記第１係合部としての略棒状の突起が形成されており、
また、上記ホルダには、上記両コネクタの突起と係合可能な第２係合部としての凹部が形成されていることを特徴とする請求項１又は請求項２に記載のチューブポンプ。
【発明の詳細な説明】
【技術分野】
【０００１】
本発明はチューブポンプに関し、より詳しくは、例えば血液や生理食塩水等の液体を送液するチューブポンプの改良に関する。
【背景技術】
【０００２】
従来、回転されるロータによってチューブを扱いて液体を送液するようにしたチューブポンプは公知であり、特に、透析治療に用いられる透析装置の血液ポンプや補液ポンプとしてチューブポンプが用いられている。
こうしたチューブポンプを用いる透析装置においては、透析治療の開始前と終了後に、チューブポンプや透析器に装着されるチューブの取り付け・取り外しの作業が必要となる。そして、複数のチューブにより構成される血液回路は、チューブポンプへのチューブの装着順番や装着方向が決められているので、血液回路のチューブポンプへの着脱作業が煩雑であった。
そこで、こうした煩雑な作業を簡素化するために、コネクタ等の接続手段を介してポンプのハウジングにチューブを装着することが提案されている（例えば特許文献１、特許文献２）。
また、屈曲チューブの両端と接続された一対の給排チューブにホルダを固定し、該ホルダをハウジングに取り付けるようにしたチューブポンプも公知である（例えば特許文献３、特許文献４）。
【先行技術文献】
【特許文献】
【０００３】
【特許文献１】特開昭６０−７５７８５号公報
【特許文献２】特表２００７−５３７３９０号公報
【特許文献３】特開２００７−１９８１５０号公報
【特許文献４】特許第２５９３０５８号公報
【発明の概要】
【発明が解決しようとする課題】
【０００４】
しかしながら、上記特許文献１、２に記載のコネクタはいずれも合成樹脂を一体成形したものであって、該コネクタ内に血液回路の一部となる血液通路が設けられていたものである。そのため、上述した特許文献１、２に記載のチューブポンプにおいては、コネクタを製作するための金型の構造が複雑となり、ひいてはチューブポンプの製造コストが高くなるという問題があった。
他方、上記特許文献３、４においては予めチューブに対してホルダを直交状態で固定するので、そのような固定作業が煩雑であった。しかも、ホルダを取り付け後の複数のチューブは、他のチューブのホルダと絡まないように注意して取り扱う必要があるため、チューブの取り扱いや管理が煩雑になるという欠点があった。
【課題を解決するための手段】
【０００５】
このような事情に鑑み、請求項１に記載した本発明は、内部に円筒状側壁を有するハウジングと、上記ハウジングの円筒状側壁の内方側に配置されたローラを有するとともに駆動源によって回転されるロータと、上記円筒状側壁と上記ローラとの間に屈曲部が装着されるとともに液体を流通させる導管とを備えて、上記ロータを回転させることで上記ローラによって上記屈曲部を扱いて液体を導管により送液するようにしたチューブポンプにおいて、
上記導管における液体の供給側と排出側の箇所のそれぞれに第１係合部を設けるとともに、該導管の両方の第１係合部と係合可能な第２係合部を有するホルダを設けて、該ホルダの第２係合部を上記導管の両第１係合部に係合させて導管をホルダによって保持し、その状態において該ホルダを上記ハウジングに着脱可能としたことを特徴とするものである。
また、請求項２に記載した本発明は、上記請求項１に記載の発明において、上記導管は、上記屈曲部の一端に供給側コネクタを介して接続される供給チューブと、上記屈曲部の他端に排出側コネクタを介して接続される排出チューブとを備え、上記供給側コネクタおよび排出側コネクタの外周部の所定位置には、上記第１係合部としてのフランジ部が形成されており、また、上記ホルダには、上記両コネクタのフランジ部と係合可能な第２係合部としての凹部が形成されていることを特徴とするものである。
さらに、請求項３に記載した本発明は、上記請求項１又は請求項２に記載の発明において、上記導管は、上記屈曲部の一端に供給側コネクタを介して接続される供給チューブと、上記屈曲部の他端に排出側コネクタを介して接続される排出チューブとを備え、上記供給側コネクタおよび排出側コネクタの外周部の所定位置には、上記第１係合部としての略棒状の突起が形成されており、また、上記ホルダには、上記両コネクタの突起と係合可能な第２係合部としての凹部が形成されていることを特徴とするものである。
【発明の効果】
【０００６】
上記請求項１に記載した発明によれば、上記両第１係合部に第２係合部を係合させて導管をホルダによって保持し、その状態のホルダをハウジングに着脱することができる。そのため、ハウジングへの導管の取り付け・取り外し作業を容易に行うことができる。また、ホルダ自体には液体通路を設けないので、従来と比較してホルダの構成を簡略化することができる。そのため、従来と比較してホルダ製作用の金型の構成を簡略化することができ、ひいては従来と比較してチューブポンプの製造コストを低減させることができる。
また、上記請求項２に記載した発明によれば、上記請求項１の効果に加え、ロータの回転によって生じる引っ張り力が導管に作用した際に、ホルダによる導管の保持位置が軸方向にずれることを防止することができる。
さらに、上記請求項３に記載した発明によれば、上記請求項１または請求項２の効果に加えて、導管の回転方向のずれを良好に防止することができる。
【図面の簡単な説明】
【０００７】
【図１】本発明の一実施例を示すチューブポンプの正面図。
【図２】図１に示したチューブポンプの斜視図。
【図３】図２の要部を破断させた状態の斜視図。
【図４】図１に示した導管とホルダとの係合前の斜視図。
【図５】図４の導管とホルダとを係合させた状態の斜視図。
【図６】図５に示す導管とホルダとを下面側から見た斜視図。
【図７】図１のチューブポンプにおいて、ループ状の大径チューブをハウジングの円筒状側壁に取り付ける際の工程図であり、（ａ）は大径チューブを円筒状側壁に嵌め込む直前の状態を示し、（ｂ）は大径チューブを円筒状側壁に嵌め込み中の状態を示し、（ｃ）は大径チューブを円筒状側壁に嵌め込んだ状態を示している。
【図８】図１のチューブポンプにおいて、大径チューブをハウジングの円筒状側壁から取り外す際の工程図であり、（ａ）は円筒状側壁から大径チューブを取り外す直前の状態を示し、（ｂ）は円筒状側壁から大径チューブを取り外し中の状態を示し、（ｃ）は円筒状側壁から大径チューブを取り外した状態を示している。
【図９】本発明の他の実施例を示すチューブポンプの要部の構成図。
【発明を実施するための形態】
【０００８】
以下、図示実施例について本発明を説明すると、図１ないし図３において１はチューブポンプであり、このチューブポンプ１は、軟質のチューブからなる導管２をロータ３のローラ４、４で扱いて液体（血液）を送液するようになっている。このチューブポンプ１は透析装置の血液ポンプとして用いられており、透析装置における本体部の正面に設けられている。図１は上記透析装置の本体部の正面に設けられたチューブポンプ１の正面図を示し、図２はチューブポンプ１の斜視図である。
本実施例のチューブポンプ１は、透析装置の本体部に配置されて、駆動軸５Ａが水平となるように支持されたモータ５と、このモータ５の駆動軸５Ａの先端に中心部を連結されて、駆動軸５Ａを回転中心として鉛直面で回転されるロータ３と、ロータ３を囲繞して透析装置の本体部に鉛直方向に配置されたハウジング６と、直列に接続された複数のチューブからなる可撓性を有する導管２と、この導管２を保持した状態でハウジング６に着脱自在に取り付け可能なホルダ７とを備えている。
【０００９】
ロータ３には、その回転方向において相互に１８０度ずれた箇所に一対のローラ４、４が回転自在に軸支されるとともに、各ローラ４の回転方向前方に放射方向のガイドピン１１、１１が配置されている。各ガイドピン１１は、駆動軸５Ａと直交方向に配置された棒状部材とその外周部に回転自在に装着された円筒部材とから構成されており、これら各ガイドピン１１は、各ローラ４よりも透析装置の本体部における正面の外部側に配置されている（図２参照）。そのため、図示しない制御装置によって上記モータ５の駆動軸５Ａが回転されると、ロータ３が駆動軸５Ａを回転中心として図１において反時計方向に回転され、その際にはローラ４よりも少し先行してガイドピン１１が移動されるようになっている。
後に詳述するが、本実施例においては、ロータ３とともに各ガイドピン１１が反時計方向に回転される際に、各ガイドピン１１が導管２の屈曲部である大径チューブ８の外面に透析装置の外面側から接触した状態で反時計方向に回転されることにより、ハウジング６の円筒状側壁６Ａとローラ４、４との間に導管２の大径チューブ８を自動装着することができる。また、そのように円筒状側壁６Ａに装着された大径チューブ８とハウジング６の円筒底面との間にガイドピン１１を潜り込ませた状態でロータ３を回転させることにより、ハウジング６の円筒状側壁６Ａから導管２の大径チューブ８を自動的に取り外すことができる。このような導管２の円筒状側壁６Ａへの自動着脱の際に、各ガイドピン１１の円筒部材が大径チューブ８の外面と接触して回転（自転）されるので、大径チューブ８を円筒状側壁６Ａとローラ４、４の間に円滑に着脱できるようになっている。
なお、本実施例においてはロータ３に一対のローラ４、４と一対のガイドピン１１、１１を設けているが、ローラ４とガイドピン１１は少なくとも１つロータ３に設ければ良い。
【００１０】
本実施例のハウジング６は、ロータ３を囲繞して円筒状に形成された円筒状側壁６Ａと、この円筒状側壁６Ａから連続して水平方向の一側へ伸びる切欠き部６Ｂを備えている。また、ハウジング６には、上記円筒状側壁６Ａと切欠き部６Ｂを透析装置の正面の外部側から覆うために、合成樹脂製の透明な開閉カバー１２が設けられている。この開閉カバー１２は、チューブポンプ１の正面に向かって左側のヒンジ部６Ｃを介して開閉されるようになっている。
作業者が開閉カバー１２を開放すると、円筒状側壁６Ａと切欠き部６Ｂの正面側が外部へ露出されるようになっている。そして、その状態において、導管２を保持した状態のホルダ７を作業者がハウジング６の切欠き部６Ｂに取り付けてから、前述したようにロータ３によりガイドピン１１、１１を回転させて導管２の大径チューブ８を円筒状側壁６Ａとローラ４、４との間に自動的に装着させるようになっている。
【００１１】
ハウジング６の切欠き部６Ｂにおける上下の側壁には、長手方向（左右方向）に伸びる係合溝６Ｄ、６Ｄがそれぞれ形成されており、ホルダ７側に形成された一対の係合部７Ａ、７Ａが上記両係合溝６Ｄ、６Ｄに係合されるようになっている。
また、切欠き部６Ｂにおける上方の側壁の所定位置は、係合溝６Ｄと直交方向に位置決め凹部６Ｅが形成されており、他方、ホルダ７における上方側となる係合部７Ａの長手方向所定位置には位置決め突起７Ｃが形成されている。
本実施例では、導管２に作業者がホルダ７を嵌め込んで保持させるようになっており、作業者がその状態のホルダ７の位置決め突起７Ｃをハウジング６の位置決め凹部６Ｅに挿入してからホルダ７を切欠き部６Ｂに嵌合させて押し込むと、ホルダ７の両係合部７Ａ、７Ａが両係合溝６Ｄ、６Ｄに係合するようになっている。それにより、ホルダ７がハウジング６の切欠き部６Ｂに取り付けられるようになっている。ホルダ７の取り付け完了状態ではハウジング６に対してホルダ７とそれに保持された箇所の導管２が上下、左右および内外方向において位置決めされるようになっている。
また、切欠き部６Ｂの底面の中央には検出スイッチ１３が配置されており、上述したようにホルダ７の係合部７Ａ、７Ａを係合溝６Ｄ、６Ｄに係合させた際には、ホルダ７の裏面中央にある突出部７Ｂが検出スイッチ１３に当接するようになっている（図３参照）。その際には、検出スイッチ１３による検出信号が図示しない制御装置に伝達されるようになっており、制御装置はホルダ７を介して導管２がハウジング６の切欠き部６Ｂに取り付けられたことを認識できるようになっている。
【００１２】
また、切欠き部６Ｂの底面には、透析装置の外部側方向に進退動可能な円柱状のリジェクトピン１４が設けられており、このリジェクトピン１４は、透析装置の本体部に配置されたモータ１５によって進退動されるようになっている。
導管２を保持した状態のホルダ７をハウジング６の切欠き部６Ｂから取り外す場合には、制御装置は上記モータ１５を介してリジェクトピン１４を切欠き部６Ｂの底面から所定量だけ透析装置の正面の外部側に向けて突出させる。それにより、リジェクトピン１４の先端部によってホルダ７およびそれに保持された導管２が透析装置の外部側に向けて強制的に押し出されるので、ホルダ７の係合部７Ａ、７Ａが切欠き部６Ｂの係合溝６Ｄ、６Ｄから離脱するようになっている。このようにして、リジェクトピン１４によってホルダ７をハウジング６の切欠き部６Ｂから取り外すようになっている。
リジェクトピン１４の突出作動によってホルダ７をハウジング６の切欠き部６Ｂから取り外す操作は、透析装置の操作盤を作業者が操作して行っても良いし、あるいは透析装置における一連の透析治療プログラムが実施される際の最終工程に組み込んでも良い。
【００１３】
次に、図４〜図６に示すように、本実施例の導管２は、ループ状の屈曲部となって上記ハウジング６の円筒状側壁６Ａ内に装着される大径チューブ８と、この大径チューブ８の一端に段付円筒状の供給側コネクタ１７を介して接続される供給チューブ１８と、大径チューブ８の他端に段付筒状の排出側コネクタ１７’を介して接続された排出チューブ１９とを備えている。
供給チューブ１８と排出チューブ１９とは同径のものを用いており、大径チューブ８は両チューブ１８、１９よりも大径のものを用いている。大径チューブ８は、ループ状の屈曲部となって上記各ローラ４、４によって押圧されて扱かれるので、液体（血液）の流量と耐久性を確保するためにポリ塩化ビニール等の柔軟な材質から構成されている。また、供給チューブ１８、排出チューブ１９もポリ塩化ビニールによって構成されている。
【００１４】
図４に示すように、両コネクタ１７、１７’は同一形状・同一寸法のポリ塩化ビニールからなるので、ここでは供給側コネクタ１７の構成について説明する。すなわち、供給側コネクタ１７は、大径チューブ８の一端が嵌合される大径接続部１７Ａと、これに連設されて供給チューブ１８の端部が嵌合される小径接続部１７Ｂと、上記大径接続部１７Ａの自由端となる外周部に形成された環状突起であるフランジ部１７Ｃと、小径接続部１７Ｂの外周部における大径接続部１７の隣接位置に突設させた円柱状の突起部１７Ｄとを備えている。
上記フランジ部１７Cは、後述するホルダ７側の係合溝７Hと係合されるようになっている。また、上記突起部１７Ｄは、供給側コネクタ１７の軸心に対して直交方向に突出させて形成されており、この突起部１７Ｄはホルダ７側の円筒凹部７Ｇに係合されるようになっている。
以上は供給側コネクタ１７の構成の説明であるが、前述したように排出側コネクタ１７’も供給側コネクタ１７と同一形状に形成されているので、排出側コネクタ１７’の詳細な説明は省略する。なお、排出側コネクタ１７’においては、供給側コネクタ１７と対応する各部分にそれぞれ’を付して示している。
また、上述した両コネクタ１７、１７’の構成は従来公知であり、本実施例においては、このように既存の両コネクタ１７、１７’によって大径チューブ８の両端を供給チューブ１８と排出チューブ１９に接続し、その接続部分となる両コネクタ１７、１７’をホルダ７によって着脱自在に保持できるようになっている。なお、上記両コネクタ１７、１７’の突起部１７Ｄ、１７Ｄ’の形状は、上述した円柱状の代わりに多角柱、円錐、角錐等であっても良く、ホルダ７側の円筒凹部７Ｇ、７Ｇ’と係合可能な形状であれば良い。
【００１５】
本実施例の導管２はホルダ７によって保持される前に、次のようにして各チューブ８、１８、１９が接続される。すなわち、予め大径チューブ８の一端の外周部に接着剤を塗布して供給側コネクタ１７の大径接続部１７Ａ内に嵌合させるとともに、供給チューブ１８の一端の外周部に接着剤を塗布してから供給側コネクタ１７の小径接続部１７Ｂに嵌合させる。また、大径チューブ８の他端の外周部に接着剤を塗布して排出側コネクタ１７’の大径接続部１７Ａ’内に嵌合させるとともに、排出チューブ１９の一端の外周部に接着剤を塗布してからコネクタ１７’の小径接続部１７Ｂ’に嵌合させる。これにより、両コネクタ１７、１７’を介して複数のチューブ８、１８、１９が直列に接続されて導管２が形成される。また、本実施例においては、大径チューブ８をループ状に屈曲させて屈曲部とした際には、両コネクタ１７、１７’の突起部１７Ｄ、１７Ｄ’が隣接位置で相互に平行となるように、両コネクタ１７、１７’の軸回りの取り付け位置を一致させるようにしている（図４参照）。
また、屈曲部となる大径チューブ８の長さは、ハウジング６の円筒状側壁６Ａの円周方向長さよりも少し長い寸法に設定されている。大径チューブ８はこのような寸法に設定されているので、両コネクタ１７、１７’を保持した状態のホルダ７をハウジング６の切欠き部６Ｂに取り付けると、屈曲部としての大径チューブ８が余裕をもって円筒状側壁６Ａ上に重合できるようになっている。
【００１６】
しかして、本実施例のチューブポンプ１の特徴は、導管２の大径チューブ８と両チューブ１８、１９の接続部分である両コネクタ１７、１７’をホルダ７によって保持し、その保持状態のホルダ７をハウジング６の切欠き部６Ｂに着脱できるようにしたことである。
すなわち、図４〜図６に示すように、本実施例のホルダ７は一体成形の合成樹脂からなり、上記両コネクタ１７、１７’の外周面を透析装置の正面の外方側から覆う大きさで形成されている。このホルダ７は、両コネクタ１７、１７’とそれらに隣接する両チューブ１８、１９を保持可能な左右一対の段付係合凹部７Ｄ、７Ｄ’と、それら両段付係合凹部７Ｄ、７Ｄ’を接続する中央平坦部７Ｅと、両段付係合凹部７Ｄ、７Ｄ’の外方の側部に形成された左右一対の平坦部７Ｆ、７Ｆ’とを備えている。
各段付係合凹部７Ｄ、７Ｄ’は同一寸法で左右対称形に形成されており、両段付係合凹部７Ｄ、７Ｄ’の内面側（両コネクタ１７、１７’との対向側）は軸方向全域にわたる開口部となっている（図６参照）。これらの開口部を介して両コネクタ１７、１７’の外周部とそれらの隣接位置となる両チューブ１８、１９の外周部を各段付係合凹部７Ｄ、７Ｄ’に嵌め込んで保持させるようになっている。
【００１７】
各段付係合凹部７Ｄ、７Ｄ’の内面である段付凹部の形状は、両コネクタ１７、１７’のフランジ部１７Ｃ（１７Ｃ’）、大径接続部１７A(１７A’)、小径接続部１７Ｂ（１７Ｂ’）および両チューブ１８、１９の外周面の形状と寸法に対応させた形状となっている。そして、両段付係合凹部７Ｄ、７Ｄ’における両コネクタ１７、１７’と係合される主要部分の軸心は相互に所定角度をなしてＶ字状となっており、また、両段付係合凹部７Ｄ、７Ｄ’における両チューブ１８、１９と係合される付属部分の軸心は相互に平行になっている。
そのため、各段付係合凹部７Ｄ、７Ｄ’に各コネクタ１７、１７’とそれらの隣接位置の両チューブ１８、１９を嵌合させると、このホルダ７によって両コネクタ１７、１７’は同一平面上でＶ字状に保持されるとともに、両チューブ１８、１９は同一平面状で相互に平行に保持されるようになっている。
各段付係合凹部７Ｄ、７Ｄ’における大径チューブ８側の端部には、それぞれ上記両コネクタ１７、１７’のフランジ部１７C、１７C’と係合可能な円周方向の係合溝７Ｈ、７Ｈ’が形成されている。また、各段付係合凹部７Ｄ、７Ｄ’における軸方向の所定位置には、それぞれ上記両コネクタ１７、１７’の突起部１７Ｄ、１７Ｄ’と係合可能な円筒凹部７Ｇ、７Ｇ’が外部に向けて突設されている。ここでは、一方の円筒凹部７Ｇは有底孔からなり、他方の円筒凹部７Ｇ’は底がない円筒状となっている。これにより、両コネクタ１７、１７’に対するホルダ７の突起部１７Ｄ、１７Ｄの係合方向を作業者が目視で確認できるようになっている。なお、円筒凹部７Ｇ’を有底孔とし、円筒凹部７Ｇを底がない円筒形状としても良く、更には上記円筒凹部７Ｇ、７Ｇ’を両方とも有底孔としても良いし、あるいは両方とも底がない円筒形状としてもよい。
前述したように、各段付係合凹部７Ｄ、７Ｄ’に両コネクタ１７、１７’とそれらの隣接位置の両チューブ１８、１９を嵌合させると、各コネクタ１７、１７’のフランジ部１７Ｃ、１７Ｃ’が係合溝７Ｈ、７Ｈ’に係合するとともに、各コネクタ１７、１７’の突起部１７Ｄ、１７Ｄ’が円筒凹部７Ｇ、７Ｇ’に係合するようになっている（図４〜図６参照）。
【００１８】
このように、本実施例のホルダ７は、一方の段付係合凹部７Ｄに供給側コネクタ１７とその隣接位置の供給チューブ１８を嵌め込んで保持させるとともに、他方の段付係合凹部７Ｄ’に排出側コネクタ１７’とその隣接位置の排出チューブ１９を保持させるようになっている。その際、ホルダ７の一方の係合溝７Ｈに供給側コネクタ１７のフランジ部１７Ｃが係合し、ホルダ７の他方の係合溝７Ｈ’に排出側コネクタ１７’のフランジ部１７Ｃ’が係合する。また、ホルダ７の一方の円筒凹部７Ｇに供給側コネクタ１７の突起部１７Ｄが係合し、ホルダ７の他方の円筒凹部７Ｇ’に排出側コネクタ１７’の突起部１７Ｄ’が係合する（図４〜図６参照）。それにより、両チューブ１８、１９の長手方向におけるホルダ７の取り付け位置が決まるとともに、両コネクタ１７、１７’は同一平面状でＶ字状に保持されるようになっている（図４、図５参照）。
さらに、ホルダ７の中央平坦部７Ｅと外方側の平坦部７Ｆ、７Ｆ’は同一平面となるように形成されており、上記両平坦部７Ｆ、７Ｆ’の縁部は相互に平行に維持されている。それらの両平坦部７Ｆ、７Ｆ’の縁部は円柱状に形成されており、そこが直線状の係合部７Ａ、７Ａとなっている。前述したように、これらの係合部７Ａ、７Ａをハウジング６の係合溝６Ｄ、６Ｄに係合させることで、ホルダ７をハウジング６に取り付けることができる。
【００１９】
また、供給チューブ１８側となる係合部７Ａには、長手方向所定位置に表裏誤挿入を防止するために位置決め突起７Ｃが形成されている。ハウジング６側の位置決め凹部６Ｅにホルダ７の位置決め突起７Ｃを係合させることにより、ハウジング６に対するホルダ７の左右方向の係合位置を規制できるようになっている。
また、ホルダ７の中央平坦部７Ｅの内面側には、略円柱状をした突出部７Ｂが内方側に向けて突設されている。両コネクタ１７、１７’を保持した状態のホルダ７をハウジング６の切欠き部６Ｂに係合させて、両係合溝６Ｄ、６Ｄに両係合部７Ａ、７Ａを完全に係合させると、このホルダ７の突出部７Ｂが上記ハウジング６側の検出スイッチ１３に当接する（図３参照）。それにより、上述した透析装置の制御装置はハウジング６に導管２が装着されたことを認識できるようになっている。
【００２０】
以上の構成からなる本実施例のチューブポンプ１を透析装置の血液ポンプとして使用する場合の作業工程を説明する。
この場合、先ず使用前の準備工程において、導管２を構成する大径チューブ８、供給チューブ１８、排出チューブ１９が両コネクタ１７、１７’を介して接続される。
さらに、導管２の大径チューブ８を屈曲させてループ状の屈曲部を形成して両コネクタ１７、１７’を隣接位置に位置させ、その状態において、両コネクタ１７、１７’の突起部１７Ｄ、１７Ｄ’側から両コネクタ１７、１７’の外面および両チューブ１８、１９の外面にホルダ７の段付係合凹部７Ｄ、７Ｄ’を係合させる（図４、図５参照）。また、両コネクタ１７、１７’のフランジ部１７Ｃ、１７Ｃ’に段付係合凹部７Ｄ、７Ｄ’の係合溝７Ｈ、７Ｈ’を係合させるとともに、両コネクタ１７、１７’の突起部１７Ｄ、１７Ｄ’に段付係合凹部７Ｄ、７Ｄ’側の円筒凹部７Ｇ、７Ｇ’を係合させる。これにより、ホルダ７の段付係合凹部７Ｄ内に供給側コネクタ１７と供給チューブ１８が保持されるとともに、他方の段付係合凹部７Ｄ’内に排出側コネクタ１７’と排出チューブ１９が保持される。
【００２１】
このように、準備工程において、両コネクタ１７、１７’が保持された状態の導管２を、ハウジング６の開閉カバー１２を開放してから上述した状態のホルダ７をハウジング６の切欠き部６Ｂに係合させる。その際には、先ずホルダ７の位置決め突起７Ｃを位置決め凹部６Ｅに係合させ、その後からホルダ７全体を切欠き部６Ｂ内に押し込んでから両方の係合部７Ａ、７Ａを係合溝６Ｄ、６Ｄに係合させる。
これにより、導管２の両コネクタ１７、１７’を保持したホルダ７のハウジング６の切欠き部６Ｂへの取り付けが完了する。このようにして取り付けが完了した際には、ホルダ７の突出部７Ｂが検出スイッチ１３と当接することで、図示しない制御装置は導管２がハウジング６に取り付けられたことを認識できるようになっている。
なお、導管２の両コネクタ１７、１７’をホルダ７によってハウジング６の切欠き部６Ｂへの取り付けた状態では、ループ状の大径チューブ８は円筒状側壁６Aには噛み込んでおらず、ロータ３の外周部に透析装置の正面の外部側から重合した状態となっている。そのため、ロータ３のガイドピン１１はホルダ７の隣接箇所の大径チューブ８よりも透析装置の外部側に位置している。
【００２２】
そして、この後に作業者が透析装置の操作盤を操作して、モータ５を介してロータ３を図１において反時計方向に一回転させるので、回転されるロータ３の両ガイドピン１１によってループ状の大径チューブ８のほぼ全域が円筒状側壁６Ａとロータ３の外周部およびローラ４との間に嵌め込まれるようになっている（図７（ａ）〜図７（ｃ）参照）。本実施例においては、このようにして、ロータ３とそれに設けたガイドピン１１、１１により導管２の大径チューブ８を自動的にハウジング６の円筒状側壁６Ａに装着することができる。このように装着されると、ロータ３の両ローラ４、４とそれらの対向位置の円筒状側壁６Ａとによって大径チューブ８が挟み込まれるようになっている。
このようにして、導管２の大径チューブ８、両コネクタ１７、１７’および両チューブ１８、１９をホルダ７によってハウジング６に取り付けが完了したら、作業者は開閉カバー１２を閉鎖する。その後、作業者は、供給チューブ１８および排出チューブ１９における図示しない他端を所要箇所に接続する。
【００２３】
この後、透析装置は予め定められた操作プログラムにより作動されて、透析治療が行われる。それに伴い、上記モータ５を介してロータ３が回転されることにより大径チューブ８がローラ４、４によって扱かれるので、導管２を介して血液が送液されるようになっている。
この透析作業後においては、次のようにしてホルダ７の取り外しが行われる。すなわち、先ず、制御装置はモータ１５を介してリジェクトピン１４を突出させる。そのため、リジェクトピン１４によってホルダ７は所定寸法だけ透析装置の外部側へ押し出されて、ホルダ７の係合部７Ａ、７Ａはハウジング６の係合溝６Ｄ、６Ｄから離脱する。すると、両コネクタ１７、１７’がロータ３のガイドピン１１、１１よりも透析装置の外部側に浮き上がった状態となるので、その状態においてモータ５の駆動軸５Ａを介してロータ３が回転される。これにより、ガイドピン１１がロータ３によって回転しながら大径チューブ８とハウジング６の円筒底面との間に潜り込むので、大径チューブ８の全体が円筒状側壁６Ａとローラ４、４の間から透析装置の外部側へ押し出されて取り外される（図８（ａ）〜図８（ｃ）参照）。このように、本実施例においては、屈曲部である大径チューブ８の円筒側壁６Ａへの着脱をロータ３とガイドピン１１によって自動的に着脱することができる。
【００２４】
上述した本実施例のチューブポンプ１においては、導管２における血液の供給側および排出側となる両コネクタ１７、１７’を着脱可能に保持するホルダ７を備えており、ホルダ７によって両コネクタ１７、１７’を保持し、その状態のホルダ７をハウジング６に着脱するようにしている。
そのため、ハウジング６に対して導管２を所定の取り付け位置である切欠き部６Ｂに正確に取り付けることができる。また、ホルダ７を介して導管２の供給側及び排出側の箇所（両コネクタ１７、１７’）をハウジング６に取り付けるので、導管２のハウジング６への取り付け、取り外し作業を容易に行うことができる。
また、本実施例では、両コネクタ１７、１７’のフランジ部１７Ｃ、１７Ｃ’がホルダ７の係合溝７Ｈ、７Ｈ’に係合するとともに、突起部１７Ｄ、１７Ｄ’が円筒凹部７Ｇ、７Ｇ’に係合している。そのため、ロータ３が回転されてローラ４によって大径チューブ８が扱かれる際に、導管２に対して長手方向に引っ張り力が作用しても、導管２が長手方向に位置ずれすることを良好に防止することができる。また、突起部１７Ｄ、１７Ｄ’が円筒凹部７Ｇ、７Ｇ’に係合していることにより、導管２そのものが軸回りに回転することを防止することができる。
また、本実施例のホルダ７は、両コネクタ１７、１７’、つまり大径チューブ８の両端と両チューブ１８、１９との接続部分を外部から保持するので、ホルダ７自体に液体通路を形成する必要がない。そのため、上述したような内部に液体通路を有するホルダと比較すると、ホルダ７の構成を簡略化することができる。そのため、ホルダ７を製作するための金型を従来の場合よりも簡略化することができ、その分だけチューブポンプ１の製造コストを低減させることができる。また、ホルダ７自体に液体を流通させる液体通路を設けていないので、上記特許文献１に開示された従来品と比較してホルダ７の管理が極めて容易なものとなる。
さらに、本実施例では、両コネクタ１７、１７’として突起部１７Ｄ（１７Ｄ’）を備えた既存のコネクタを用いることができるとともに、両コネクタ１７、１７’を保持するホルダ７は、導管２の両ホルダ１７、１７’を保持するために何度も繰り返し使用することも可能である。この意味からも本実施例のチューブポンプ１は、従来と比較して製造コストを低減させることができる。
なお、上記実施例においては、両コネクタ１７、１７’の第１係合部としてのフランジ部１７Ｃ、１７Ｃ’をホルダ７側の第２係合部としての係合溝７Ｈ、７Ｈ’に係合させるとともに、同じく第１係合部としての突起部１７Ｄ、１７Ｄ’をホルダ７側の第２係合部としての円筒凹部７Ｇ、７Ｇ’に係合させているが、次のような構成であっても良い。つまり、上記実施例における両コネクタ１７、１７’の第１係合部としてのフランジ部１７Ｃ、１７Ｃ’を省略するとともに、ホルダ７側の第２係合部としての係合溝７Ｈ、７Ｈ’を省略しても良い。また、そのような構成とは逆に、上記実施例における両コネクタ１７、１７’側の第１係合部としての突起部１７Ｄ、１７Ｄ’を省略するとともに、ホルダ７側の第２係合部としての円筒凹部７Ｇ、７Ｇ’を省略してもよい。換言すると、少なくとも両コネクタ１７、１７’側に第１係合部を形成し、ホルダ７側に第１係合部と係合可能な第２係合部を形成する構成であれば良い。また、第１係合部とそれに係合される第２係合部の凹部と凸部の関係は、上記実施例とは逆でもよい。例えば、導管２側に第１係合部としての凹部を形成するとともに、ホルダ７側に第２係合部としての凸部を形成しても良い。
【００２５】
つぎに、図９は本発明の第２実施例としてのチューブポンプ１の要部を示した構成図である。この第２実施例においては、ホルダ７における排出側となる段付係合凹部７Ｄ’を改良することで、大径チューブ８の長さのばらつきを吸収できるようにしたものである。より詳細には、ホルダ７の排出チューブ１９側の段付係合凹部７Ｄ’に上記円筒凹部の代わりに導管２（排出チューブ１９）の長手方向に伸びる長孔状の筒状凹部７Ｇ’を形成している。また、段付係合凹部７Ｄ’における、排出側コネクタ１７’のフランジ部１７Ｃ’と係合する係合溝７Ｈ’の軸方向長さは、フランジ部１７Ｃ’の軸方向長さの数倍に設定されている。その他の構成は、上述した第１実施例のチューブポンプ１の構成と変わるところはない。
このような第２実施例によれば、ホルダ７の段付係合凹部７Ｄ’に排出側コネクタ１７’の外面を係合させた際に、排出側コネクタ１７’の軸方向における係合位置が所定範囲で選択することができるように、上記筒状凹部７Ｇ’、係合溝７Ｈ’の軸方向長さに遊びを設けている。そのため、この第２実施例によれば、導管２の屈曲部である大径チューブ８の長さのばらつきを吸収して両コネクタ１７、１７’をホルダ７に保持することができ、その保持状態の該ホルダ７をハウジング６の切欠き部６Ｂに取り付けることができる。
このような第２実施例においても、上述した第１実施例と同様の作用・効果を得ることができ、さらに大径チューブ８の全長が所定範囲に収まっていればホルダ７によりハウジング６に取り付けることができるので、導管２の製作コストを抑えることができる。
【００２６】
なお、上述した実施例においては、大径チューブ８、供給チューブ１８、排出チューブ１９および両コネクタ１７、１７’により導管２を構成し、両コネクタ１７、１７’に突起部１７Ｄ、１７Ｄ’を形成しているが、次のような構成であっても良い。すなわち、可撓性を有する単一のチューブによって導管２を構成して、上記実施例における両コネクタ１７、１７’と対応する箇所、すなわち導管２における液体の供給側および排出側の外周部にそれぞれ上記突起部１７Ｄ、１７Ｄ’と同様に一対の突起部を形成する。また、その導管２側の両突起部と対応させて、それらと係合可能な一対の凹部をホルダ７側に形成する。そして、導管２における両突起部にホルダ７の両凹部を係合させることで、ホルダ７によって導管２を保持し、その状態のホルダ７をハウジング６の切欠き部６Ｂに着脱させる。そのような構成であっても、上述した実施例と同様の作用・効果を得ることが可能である。
【００２７】
また、上記実施例においては、ホルダ７の両係合部７Ａ、７Ａは、ホルダ７の端部に相互に平行に設けられており、これに対応してハウジング６の両係合溝６Ｄ、６Ｄも平行に設けられているが、他の実施例として次のような構成を採用しても良い。すなわち、ホルダ７の両係合部７Ａ、７Ａを相互に所定角度を成すように形成するとともに、それらと対応するようにハウジング６の両係合溝６Ｄ、６Ｄも所定角度を成すように形成してもよい。例えば、ハウジング６内のロータ３に向かって両係合部７Ａ、７Ａの成す角度が小さくなるようにハ字形に形成し、かつ、それらに合せて両係合溝６Ｄ、６Ｄもハ字形にすると、次のような効果を得ることができる。つまり、ロータ３が回転されることで導管２がロータ３側へ引っ張られた際に、ハ字形の両係合部７Ａ、７Ａと両係合溝６Ｄ、６Ｄがストッパとして機能するので、ホルダ７および導管２の供給チューブ１８がロータ３に向けて引き込まれるのを確実に防止することができる。
また、上述した説明は本実施例のチューブポンプ１を透析装置の血液ポンプとして用いた場合を説明したが、生理食塩水等を送液するポンプとしても本実施例のチューブポンプ１を使用できることは勿論である。
【符号の説明】
【００２８】
１‥チューブポンプ                              ２‥導管
３‥ロータ                                      ４、４‥ローラ
６‥ハウジング                                  ６Ａ‥円筒状側壁
７‥ホルダ                                      ８‥大径チューブ（屈曲部）
１８‥供給チューブ                              １９‥排出チューブ
１７Ｃ、１７Ｃ’‥フランジ部（第１係合部）
７Ｈ、７Ｈ’‥係合溝（第２係合部）
１７Ｄ、１７Ｄ’‥突起部（第１係合部）
７Ｇ、７Ｇ’‥円筒凹部（第２係合部）
【図１】
2010190062.tif 000003
【図２】
2010190062.tif 000004
【図３】
2010190062.tif 000005
【図４】
2010190062.tif 000006
【図５】
2010190062.tif 000007
【図６】
2010190062.tif 000008
【図７】
2010190062.tif 000009
【図８】
2010190062.tif 000010
【図９】
2010190062.tif 000011